(57)【要約】【課題】乾燥気体が漏れ出し空気の流入が起こった時、自動的に乾燥気体を補充し、継続使用可能な時間を算出し表示することで、撮影中に曇りを発生させないことを可能にした光学ユニットおよび光学装置を提供すること。【解決手段】外気と気密に保持された光学ユニットまたは装置において、該光学ユニット内の気体は乾燥気体であり、該光学ユニットとは別に該乾燥気体の収納部を連結した状態で有し、該乾燥気体の収納部は、乾燥気体が漏れ出し空気の流入が起こった時に自動的に乾燥気体を該光学ユニット内に補充する手段を有し、継続使用可能な時間を表示することを特徴とする。【選択図】図１
2017215401.tif 000002
【特許請求の範囲】
【請求項１】
外気と気密に保持された光学ユニットまたは装置において、該光学ユニット内の気体は、外気よりも高圧力で維持されていることを特徴とする光学ユニットまたは光学装置。
【請求項２】
該光学ユニット内の気体は乾燥気体であり、該光学ユニットとは別に、乾燥気体収納部を内蔵し、該光学ユニットと連結されていることを特徴とする請求項１に記載の光学ユニットまたは光学装置。
【請求項３】
該乾燥気体収納部は、乾燥気体が漏れ出し空気の流入が起こった時、自動的に乾燥気体を該光学ユニット内に補充する機構を有していることを特徴とする請求項１に記載の光学ユニットまたは光学装置。
【請求項４】
該乾燥気体収納部の乾燥気体は、押圧構造によって光学ユニット内に補充されることを特徴とする請求項３に記載の光学ユニットまたは光学装置。
【請求項５】
該押圧構造は、弾性部材によって形成されていることを特徴とする請求項４に記載の光学ユニットまたは光学装置。
【請求項６】
該弾性部材は、ばねであることを特徴とする請求項５に記載の光学ユニットまたは光学装置。
【請求項７】
該弾性部材は、袋状のゴムであることを特徴とする請求項５に記載の光学ユニットまたは光学装置。
【請求項８】
該弾性部材の押圧力の検出手段を有し、該検出手段の検出値から、曇りを発生させることなく使用可能な時間を算出し、その値を表示することを特徴とする請求項１に記載の光学ユニットまたは光学装置。
【発明の詳細な説明】
【技術分野】
【０００１】
本発明は、光学ユニットまたは光学装置に関し、特に結露防止構造に関する。
【背景技術】
【０００２】
従来、光学ユニットや光学装置において、屋外撮影時などで起きやすいガラス表面の結露や曇りを防止するために、光学ユニット内に乾燥気体を充満させて密閉状態としたり、乾燥剤を収納して湿気を除去したりするなど、防曇対策を施している。
【０００３】
特許文献１には、シール剤の劣化などによって遮蔽部に隙間ができ、中の乾燥気体が漏れ出して空気の流入が起こった時、内蔵された湿度センサーによって警報機が鳴り、そのことを知らせる。そして、乾燥気体を補充するために、内蔵された開閉自在の弁に、乾燥気体の入ったボンベを接続し、ガスを補充するシステムが開示されている。
【０００４】
特許文献２には、乾燥剤の収納されたユニットをレンズ鏡筒の周囲に固定し、それぞれの空間が開口部によって繋げることにより、鏡筒内に湿気が発生した場合には、乾燥剤が吸収する構造が開示されている。
【先行技術文献】
【特許文献】
【０００５】
【特許文献１】特開昭６０−１８１７２３号公報
【特許文献２】特開２０００−７５１８４号公報
【発明の概要】
【発明が解決しようとする課題】
【０００６】
しかしながら、上述の特許文献に開示された従来技術では、いずれも乾燥気体が漏れ出し、空気の流入が始まってから対応せざるを得ないし、ボンベを設置するなど、その対応に人が介在しなければならない。
【０００７】
また、湿気を含んだ空気の流入に対して乾燥剤では反応が遅く、結果的に曇りを発生させてしまう可能性が残る。
【０００８】
そこで、本発明の目的は、乾燥気体が漏れ出し空気の流入が起こった時、自動的に乾燥気体を補充し、継続使用可能な時間を算出し表示することで、撮影中に曇りを発生させないことを可能にした、光学ユニットおよび光学装置を提供することにある。
【課題を解決するための手段】
【０００９】
上記の目的を達成するために、本発明に係る光学ユニットまたは光学装置は、
外気と気密に保持された光学ユニットまたは装置において、該光学ユニット内の気体は乾燥気体であり、該光学ユニットとは別に該乾燥気体の収納部を連結した状態で有し、該乾燥気体の収納部は、乾燥気体が漏れ出し空気の流入が起こった時に自動的に乾燥気体を該光学ユニット内に補充する手段を有し、継続使用可能な時間を表示することを特徴とする。
【発明の効果】
【００１０】
本発明によれば、外気と気密に保持された光学ユニットまたは装置において、乾燥気体が漏れて空気が流入すると自動的に乾燥気体を補充し、継続使用可能な時間の算出および表示をすることで、撮影中に曇らせない光学ユニットおよび光学装置を提供できる。
【図面の簡単な説明】
【００１１】
【図１】本発明の実施例１である結露防止構造を有する光学装置の正面断面図
【図２】本発明の実施例１である結露防止構造を有する光学装置の正面図
【図３】本発明の実施例２である結露防止構造を有する光学装置の正面断面図
【図４】本発明の実施例３である結露防止構造を有する光学装置の正面断面図
【発明を実施するための形態】
【００１２】
以下に、本発明の好ましい実施の形態を、添付の図面に基づいて詳細に説明する。
【００１３】
図１は本発明の実施形態にかかわる結露防止構造を有する光学装置の正面断面図である。
【実施例１】
【００１４】
以下、図１、図２を参照して、本発明の第１の実施例による、光学装置の結露防止構造について説明する。
【００１５】
１はレンズ鏡筒で、レンズ２およびレンズ３を、それぞれ押え環４、押え環５で保持している。６および７はシール剤で、レンズ２とレンズ３との空間を密閉状態にしている。８は乾燥気体で、レンズ２とレンズ３で形成された密閉空間に充填されている。９はレンズ本体で、レンズ鏡筒１が、ねじ１０によって固定されている。
【００１６】
１１はケースで、ねじ１２によってレンズ本体９に固定されている。１３は補充用乾燥気体で、ケース１１に充填されている。１４は連結チューブで、連結コマ１５によってレンズ鏡筒１と、連結コマ１６によってケース１１と接続され、乾燥気体８と補充用乾燥気体１３は、お互いに混ざり合って一体となっている。
【００１７】
１７は開閉弁で、レンズ鏡筒１とケース１１との連結の状態を開閉操作可能となっており、連結チューブ１４の途中に取り付けられている。１８はケース１１に取り付けられた開閉弁で、不図示の乾燥気体ボンベと接続し、補充用乾燥気体を補充することが可能となっている。
【００１８】
１９および２０は補充用乾燥気体１３の押し板で、押し板１９は樹脂でできており、押し板２０に接着固定されている。また、押し板２０は金属でできている。２１はばね、２２は受け板で、ばね２１は、押し板２０と受け板２２にそれぞれ接続されており、乾燥気体８および補充用乾燥気体１３には、ばね２１によって、一定の圧力がかかった状態で維持されている。
【００１９】
２３は圧力センサで、受け板２２の受けた力を感知するように、ケース１１に内蔵されている。圧力センサ２３で感知した信号は、不図示のレンズ本体ＣＰＵに送られ、圧力に変化が生じた場合、その変化量から曇らせることなく撮影できる時間を算出して表示するとともに、警報灯を点灯する。
【００２０】
図２によって、補充用乾燥気体１３の加圧状態や残量の確認ができる表示窓について説明する。
【００２１】
図２において、２４は補充用乾燥気体１３の加圧状態や残量を確認できる表示窓で、２４ａは透明窓で、押し板２０に刻まれた指標２０ａが目視できるようになっている。２４ｂは目盛で、押し板２０の変化量を数値的に確認できる。
【００２２】
２４ｃは、外気に対して異常に低い圧力であることを示すアンダー側デッドエリアマークで、指標２０ａが、設置環境の影響でこの範囲を示していると考えられる場合、結露防止機構の使用中止を促すことを目的とするものである。２４ｄは、外気に対して異常に高い圧力であることを示すオーバー側デッドエリアマークで、指標２０ａが、設置環境の影響でこの範囲を示していると考えられる場合、結露防止機構の使用中止を促すことを目的とするものである。
【００２３】
２５は、指標２０ａが最初に示した位置（基準位置）を示すためのマークシールで、指標２０ａがその位置からずれると、乾燥気体８に何らかの圧力変化が生じていることが、一目でわかるようになっている。
【００２４】
上記構成に於いて、光学装置を撮影状態にセットした後、開閉弁１７を開放し、光学ユニット内の乾燥気体８と補充用乾燥気体１３を一体化する。
【００２５】
ここで、指標２０ａがデッドエリアマーク２４ｃ、２４ｄ、にないことを確認し、指標２０ａの指し示す位置にマークシール２５を貼付する。
【００２６】
乾燥気体８がシール剤６および７によって密閉状態を維持し続けている場合には、指標２０ａは、マークシール２５に位置を示し続ける。
【００２７】
使用環境が極度の高温状態である場合、乾燥気体８および補充用乾燥気体１３は膨張し、指標２０ａはオーバー側デッドエリアマーク２４ｄの範囲を示す。また、使用環境が極度の低温状態である場合、乾燥気体８および補充用乾燥気体１３は収縮し、指標２０ａはアンダー側デッドエリアマーク２４ｃの範囲を示す。
【００２８】
このような状況の場合は、結露防止機構の使用できる環境ではないと判断し、開閉弁１７を閉め、使用を中止する。
【００２９】
シール剤６または７に亀裂が入るなどして乾燥気体８が外部に漏れ出した時は、補充用乾燥気体１３がばね２１によって押し出され、乾燥気体８の充填エリアへ流れ込み、空気の流入を抑制する。この時、指標２０ａは徐々に左へ移動するので、マークシール２５との差分を補充用乾燥気体１３の減少量として目視することができる。
【００３０】
さらに、圧力センサ２３の出力信号から、レンズを曇らせることなく撮影可能な残り時間を算出して表示する。
【００３１】
これらの情報をもとに補充用乾燥気体１３の補充のタイミングを考え、補充する場合には、開閉弁１７を一旦閉め、ケース１１に取り付けられた開閉弁１８を開放して補充用乾燥気体１３を補充し、再び開放弁１７を開放して、亀裂部からの空気の流入を防ぐ。
【００３２】
本実施形態によれば、乾燥気体が漏れ出し空気の流入が起こった時、自動的に乾燥気体を補充し、継続使用可能な時間を算出し表示することで、撮影中に曇りを発生させないことを可能にした光学ユニットおよび光学装置を提供することができるという効果がある。
【実施例２】
【００３３】
以下、図３を参照して、本発明の第２の実施例による、光学装置の結露防止構造について説明する。
【００３４】
２６はカートリッジで、その中には、一定の圧力がかかった状態で、補充用乾燥気体２６ａが充填されている。２６ｂはカートリッジ２６に備えられている固定ねじである。２７は連結コマで、片側には連結チューブ１４が接続される。２７ａは連結コマ２７に備えられている固定ねじで、カートリッジ２６の固定ねじ２６ｂが連結される。２８は連結コマ２７とカートリッジ２６の固定台で、ねじ１２によってレンズ本体９に固定されている。
【００３５】
２９は、気体用圧力センサで、カートリッジ２６から出される補充用乾燥気体２６ａの出力圧を測定する。気体用圧力センサ２９で感知した信号は不図示のレンズ本体ＣＰＵに送られ、圧力に変化が生じた場合、その変化量から曇らせることなく撮影できる時間を算出して表示するとともに、警報灯を点灯する。
【００３６】
その他の符号に関しては、実施例１の説明の通りである。
【００３７】
上記構成に於いて、光学装置を撮影状態にセットした後、開閉弁１７を開放し、光学ユニット内の乾燥気体８と補充用乾燥気体２６ａを一体化する。シール剤６または７に亀裂が入るなどして乾燥気体８が外部に漏れ出した時、補充用乾燥気体２６ａがカートリッジ２６内の充填圧によって押し出され、乾燥気体８の充填エリアへ流れ込み、空気の流入を抑制する。本実施形態によれば、実施例１と同様の効果がある。
【実施例３】
【００３８】
以下、図２、図４を参照して、本発明の第３の実施例による、光学装置の結露防止構造について説明する。
【００３９】
３０は弾性袋で、その弾性圧で一定の圧力がかかった状態で、補充用乾燥気体１３が充填され、ケース１１内に収められている。弾性袋３０には、２か所の通気口３０ａ、３０ｂがあり、それぞれ、開閉弁１８および連結コマ１６に接着剤で接続されている。３０ｃは弾性袋３０の弾性圧がかからなくなった状態を示した仮想弾性袋である。
【００４０】
その他の符号に関しては、実施例１の説明の通りである。
【００４１】
シール剤６または７に亀裂が入るなどして乾燥気体８が外部に漏れ出した時は、補充用乾燥気体１３が弾性袋３０の弾性圧によって押し出され、乾燥気体８の充填エリアへ流れ込み、空気の流入を抑制する。この時、指標２０ａは徐々に左へ移動するので、マークシール２５との差分を補充用乾燥気体１３の減少量として目視することができる。
【００４２】
さらに、圧力センサ２３の出力信号から、レンズを曇らせることなく撮影可能な残り時間を算出して表示する。
【００４３】
これらの情報をもとに補充用乾燥気体１３の補充のタイミングを考え、補充する場合には、開閉弁１７を一旦閉め、ケース１１に取り付けられた開閉弁１８を開放して補充用乾燥気体１３を補充し、再び開放弁１７を開放して、亀裂部からの空気の流入を防ぐ。
【００４４】
本実施形態によれば、実施例１と同様の効果がある。
【００４５】
以上、本発明の好ましい実施形態について説明したが、本発明はこれらの実施形態に限定されず、その要旨の範囲内で種々の変形及び変更が可能である。
【符号の説明】
【００４６】
１  レンズ鏡筒、２，３  レンズ、４，５  押え環、６，７  シール剤、８  乾燥気体、
９  レンズ本体、１０，１２  ねじ、１１  ケース、１３，２６ａ  補充用乾燥気体、
１４  連結チューブ、１５，１６  連結コマ、１７，１８  開閉弁、
１９，２０  押し板、２０ａ  指標、２１  ばね、２２  受け板、２３  圧力センサ、
２４  表示窓、２４ａ  透明窓、２４ｂ  目盛、
２４ｃ  アンダー側デッドエリアマーク、２４ｄ  オーバー側デッドエリアマーク、
２５  マークシール、２６  カートリッジ、２６ｂ，２７ａ  固定ねじ、
２７  連結コマ、２８  固定台、２９  気体用圧力センサ、３０  弾性袋、
３０ａ，３０ｂ  通気口、３０ｃ  仮想弾性袋
【図１】
2017215401.tif 000003
【図２】
2017215401.tif 000004
【図３】
2017215401.tif 000005
【図４】
2017215401.tif 000006